(57)【特許請求の範囲】
【請求項１】
床面に立設された一本の支柱と、
該支柱の背面に固定・支持された背板と、
該背板の途中位置に前方へ背板の全幅にわたって水平に突設された細長いテーブル部と、該細長いテーブル部の下側の背板に前方に突設された収納箱とからなることを特徴とする医科歯科診療用キャビネット。
【請求項２】
支柱の背面に固定・支持された背板が、該支柱の左右に延設されてなることを特徴とする請求項１記載の医科歯科診療用キャビネット。
【請求項３】
医科歯科診療用キャビネットが、その下部位置に前方へ背板の全幅にわたって水平に突設された細長い底板部と、先端にインスツルメントテーブルが取着され、基部が前記底板部に取着された多関節アームとを備えてなることを特徴とする請求項１又は２に記載の医科歯科診療用キャビネット。
【請求項４】
医科歯科診療用キャビネットの支柱の背面に固定・支持された背板が、上下に区分され、上方の背板が透明又は半透明なものであることを特徴とする請求項１〜３のいずれか１項に記載の医科歯科診療用キャビネット。
【請求項５】
医科歯科診療用キャビネットが、細長いテーブルの上方に支柱に回動自在に支承されたアームとその先端に取り付けられた表示パネルとを備えてなることを特徴とする請求項１〜４のいずれか１項に記載の医科歯科診療用キャビネット。
【発明の詳細な説明】
【技術分野】
【０００１】
本件は医科歯科診療用キャビネットに関する。
【背景技術】
【０００２】
従来、医科歯科診療用キャビネットは、診療空間を区分する背板と、同背板の片側又は両側に配設された収納箱と、水平な細長いテーブル部及び、別床面に配設された多関節アームとその先端に装着されたインスツルメントテーブルから構成されるものがあったが、キャビネットの重量は、直接床面に接触する構成要素の底面で支えられていた。
【特許文献１】特開２００４−２４５３４号公報
【発明の開示】
【発明が解決しようとする課題】
【０００３】
しかし、前記医科歯科診療用キャビネットの重量を、直接床面に接触する構成要素の底面で支えるためには、厚く太い堅牢な部材と、強固で複雑な構造とが必要であった。
そのため、低コスト化が困難で、収納箱の内部及び開口部も狭くなり、デザイン上の制約も多く自由な設計ができなかった。
本発明では、キャビネットの重量を、一本の支柱で支えるシンプルな構造としたことにより、支柱以外は薄く細い軽量な部材で構成することが可能になり、収納箱も広くまた大きく開口でき、デザインの自由度が高く、低コストで製作可能な医科歯科診療用キャビネットを提供する。
【課題を解決するための手段】
【０００４】
上記に鑑み本発明者は鋭意実験研究の結果下記の手段によりこの課題を解決した。
（１）床面に立設された一本の支柱と、該支柱の背面に固定・支持された背板と、該背板の途中位置に前方へ背板の全幅にわたって水平に突設された細長いテーブル部と、該細長いテーブル部の下側の背板に前方に突設された収納箱とからなることを特徴とする医科歯科診療用キャビネット。
（２）支柱の背面に固定・支持された背板が、該支柱の左右に延設されてなることを特徴とする前項（１）に記載の医科歯科診療用キャビネット。
（３）医科歯科診療用キャビネットが、その下部位置に前方へ背板の全幅にわたって水平に突設された細長い底板部と、先端にインスツルメントテーブルが取着され、基部が前記底板部に取着された多関節アームとを備えてなることを特徴とすることを特徴とする前項（１）又は（２）に記載の医科歯科診療用キャビネット。
（４）医科歯科診療用キャビネットの支柱の背面に固定・支持された背板が、上下に区分され、上方の背板が透明又は半透明なものであることを特徴とする前項（１）〜（３）のいずれか１項に記載の医科歯科診療用キャビネット。
（５）医科歯科診療用キャビネットが、細長いテーブルの上方に支柱に回動自在に支承されたアームとその先端に取り付けられた表示パネルとを備えてなることを特徴とする前項（１）〜（４）のいずれか１項に記載の医科歯科診療用キャビネット。
【発明の効果】
【０００５】
１、本発明の請求項１の発明によれば、
床面に立設された支柱と、該支柱の背面に固定・支持された背板と、該背板の途中位置に前方へ背板の全幅にわたって水平に突設された細長いテーブル部と、該細長いテーブル部の下側の背板に前方に突設された収納箱とからなるため、
一本の支柱で全体の重量を支えるシンプルな構造となり、前記支柱以外は薄く細い軽量な部材で構成することが可能になり、収納箱も広くまた大きく開口でき、デザインの自由度が高く、低コストで製作可能となる。
２、請求項２の発明によれば、
支柱の背面に固定・支持された背板が、支柱の左右に延設されてなるため、安定性が良く、シンプルなデザインで外観が優れている。
【０００６】
３、請求項３の発明によれば、
医科歯科診療用キャビネットが、その下部位置に前方へ背板の全幅にわたって水平に突設された細長い底板部と、先端にインスツルメントテーブルが取着され、基部が前記底板部に取着された多関節アームとを備えてなるため、
前記インスツルメントテーブルの重量はキャビネットの支柱には掛からず、またインスツルメントテーブルの近傍に設置されている、例えば医科歯科診療用チェアユニットと共に使用することにより、効率良く適切な診療を行うことができる。
４、請求項４の発明によれば、
医科歯科診療用キャビネットの支柱の背面に固定・支持された背板が、上下に区分され、上方の背板が透明又は半透明なものであるため、
診療に必要な照明又は外部からの光を必要以外に遮ることがなく、快適な診療環境を得ることができる。
５、請求項５の発明によれば、
医科歯科診療用キャビネットが、細長いテーブル部の上方に支柱に回動自在に支承されたアームとその先端に取り付けられた表示パネルとを備えてなるため、
診療に関連した情報を前記表示パネルに表示し、アームを回動して最も見やすい位置に
セットできるので、効率の良い診療とインフォオームド・コンセントに有効である。
【発明を実施するための最良の形態】
【０００７】
発明を実施するための最良の形態を以下に説明する。
使途は、これに限定されないが、本例では歯科診療用キャビネットを実施例とする。
【実施例】
【０００８】
歯科診療用として、歯科診療用チェアユニットと共に使用され、効率よく診療とインフォームド・コンセントが行える歯科診療用キャビネットについて説明する。
図１は、歯科診療用キャビネットを左前方より見た外観斜視図で一部透視図である。    図２は、歯科診療用キャビネットを右前方より見た外観斜視図である。
図において  １は、歯科診療用キャビネット、２は支柱、２’は基部、３は上方の背板、４は下方の背板、５は収納箱、５’は収納箱扉、６は細長いテーブル部、７はアーム、７’は回動軸、８は通線カバー、８’は脚、９は基礎板カバー、１０は多関節アーム、１０’は基部、１１はインスツルメントテーブル、１２は表示パネル、１３、１３’は支持具、１４は下方の背板留め具、１５は上方背板上部留め具、１６は上方背板挿入溝、１７は基礎板、２０は支持具、２１は格納空間部、２２は底板部を示す。
【０００９】
本図では、インスツルメントテーブル１１は、歯科診療用キャビネット１下部の空間部２１に格納されており、また、前記歯科診療用キャビネット１の近くに設置されている。なお、歯科診療用チェアユニットは、図示されていない。
前述のように、本歯科診療用キャビネットは、支柱２によって、上方の背板３，下方の背板４、収納箱５、細長いテーブル部６及びアーム７の各構成要素が支持されている。また、多関節アーム１０は、支柱２の基部２’と共通の基礎板１７に、前記支柱２の基部２’から離れた位置に基部１０’が固定されているため、
多関節アーム１０の先端に装着されるインスツルメントテーブル１１と共に、加重は全く支柱２には掛からない。
そして、前記シンプルな構造のため外観は優美である。
【００１０】
前記支柱２は、床面に据え付けられた基礎板１７に固定され、そこから立設されている。支柱２には高い強度を有する金属等の材料が使用されている。
下方の背板４は、下方の背板留め具１４（点線）によって、図のように途中位置が支柱２の裏側に強固に取付けられており、そして前方から見て支柱２の左右に延設されている。
また、前記下方の背板４の下端は、脚８’を介して床に接触しているが、下方の背板４の重量は支柱２が支えているため、床へは加重が殆ど掛かっていない。
また、前記下方の背板４の上端には、上方背板挿入溝１６が凹設されており、前記上方の背板３の下端が挿嵌されている。
さらに、上方の背板３の上端は、上方背板上部留め具１５によって支柱２に固着されている。
前記上方の背板３の素材は、透明あるいは半透明の、合成樹脂あるいはガラス等である。
【００１１】
また、下方の背板４の左下方には、例えば収納箱５内部の背面を下方の背板４に螺着する等、下方の背板４を介して前記支柱２に間接的に支持された収納箱５が配設されている。
前記収納箱５は、太い柱や厚い部材を必要としないため広い容積を確保でき、また側方に大きく開く扉を有しており、かつ軽量である。
【００１２】
さらに、図１に示したように、前記収納箱５の右隣の部分には、前記支柱２の基礎板１７と同一の基礎板に、前記支柱の２の基部２’から離れた箇所に多関節アームの基部１０’が固定されている（本図では基礎板１７は同一としたが、前記のように多関節アームの基部１０’の基礎板の部分は分離してもよい）。
そして、歯科診療用キャビネット１の下部位置には、前方へ下方の背板４の全幅にわたって水平に突設された細長い底板部２２が配設されている。
該底板部２２において、多関節アーム１０の下部及び収納箱５の下部に台状に見えるのは前記基礎板１７を隠すための、収納箱５の通線カバー８及び多関節アーム１０の基礎板カバー９であり、前記歯科診療用キャビネット１には加重は掛からない。
【００１３】
そして、図のように、先端が上下しかつ前方水平方向に回動する多関節アーム１０の先端には、インスツルメントテーブル１１が配設されており、格納空間部２１に格納されている。
また、前記インスツルメントテーブル１１は、診療時には前方の所要診療位置に引き出される（図２）。
【００１４】
歯科診療用キャビネット１は、支柱２の背面に支持具２０によって、固定・支持された下方の背板４の途中位置に、前方へ背板の全幅にわたって水平に突設された細長いテーブル部６を有するが、
該細長いテーブル部６は、さらに下方の背板４上部から支持具１３、１３’（図２）によって補助的に支持されている。
【００１５】
また、前記細長いテーブル部６の上部には、前記支柱２に回動自在に支承されたアーム７を有している。
該アーム７の回動の部分は、例えば回動軸７’の部分の支柱２は、外周の肉厚が削られて細くなっており、その凹んだ部分に、前記回動軸７’の内周が摺接するように構成されている。
したがって、アーム７の重量は支柱２のみにかかり、また前記左右に回動するので見やすい位置に設定することができる。
【００１６】
そして、診療の場合には、前記アーム７の先端に表示パネル１２が取着されているので、歯科診療用キャビネット１においては、診療に適応した位置に表示パネル１２を移動させることができると共に、
施術やインフォームド・コンセントに関連した診療情報を、前記収納箱５に収納されている、情報作成及び伝達用のコンピュータ（図示せず）を介して、表示パネル１２に表示できるため、適切な診療やインフォームド・コンセントを効率良く行うことができる。  図１は、前記表示パネル１２を右に回動させ、前記インスツルメントテーブル１１を格納空間部２１に格納した状態、図２は、表示パネル１２を左に回動させ、前記インスツルメントテーブル１１を前方に引き出した状態を示す。
【図面の簡単な説明】
【００１７】
【図１】歯科診療用キャビネットを左前方より見た外観斜視図、一部透視図
【図２】歯科診療用キャビネットを右前方より見た外観斜視図
【符号の説明】
【００１８】
１：歯科診療用キャビネット
２：支柱
２’：基部
３：上方の背板
４：下方の背板
５：収納箱
５’：収納箱扉
６：細長いテーブル部
７：アーム
７’：回動軸
８：通線カバー
８’：脚
９：基礎板カバー
１０：多関節アーム
１０’：基部
１１：インスツルメントテーブル
１２：表示パネル
１３、１３’：支持具
１４：下方の背板留め具
１５：上方背板上部留め具
１６：上方背板挿入溝
１７：基礎板
２０：支持具
２１：格納空間部
２２：底板部
【図１】
0005168480.tif 000002
【図２】
0005168480.tif 000003